(57)【要約】【課題】記録ヘッドをヘッドキャリッジに簡単に着脱することができ、ヘッドキャリッジの小型軽量化が可能な記録装置を提供する。【解決手段】ヘッドキャリッジにカバー部材が開閉自在に装着されており、このカバー部材の開閉に連動してレバー部材が上下する。ヘッドキャリッジのカバー部材が開放された状態では、レバー部材に載置された記録ヘッドのヘッドコネクタがキャリッジコネクタから離反し、カバー部材が閉止された状態では、カバー部材に記録ヘッドが押圧されてヘッドコネクタがキャリッジコネクタに結合されるとともに、下方に変位したレバー部材が記録ヘッドから離反する。【選択図】  図１
2004230799.tif 000002
【特許請求の範囲】
【請求項１】
供給される駆動信号に対応して記録媒体に記録を行う記録ヘッドと、前記記録ヘッドを着脱自在に保持して前記記録媒体に沿って移動させるとともに前記記録ヘッドに前記駆動信号を供給するヘッドキャリッジと、を用いて前記記録媒体に記録を行う記録装置であって、
前記記録ヘッドは、前記駆動信号が供給されるヘッドコネクタを下面に有しており、
前記ヘッドキャリッジは、前記記録ヘッドが上方から着脱自在に装着される開口部と、上方から結合される前記ヘッドコネクタに前記駆動信号を供給するキャリッジコネクタと、前記開口部を上方から開閉する位置に回動自在に軸支されていて前記記録ヘッドを上方から係脱自在に保持するカバー部材と、前記記録ヘッドが上方から載置されて前記カバー部材の開閉に連動して上下方向に変位するレバー部材と、を有しており、
前記カバー部材が開放された状態では載置された前記記録ヘッドの前記ヘッドコネクタが前記キャリッジコネクタから離反する位置に前記レバー部材が配置され、前記カバー部材が閉止された状態では前記カバー部材に前記記録ヘッドが押圧されて前記ヘッドコネクタが前記キャリッジコネクタに結合されるとともに下方に変位した前記レバー部材が前記記録ヘッドから離反した位置に配置される記録装置。
【発明の詳細な説明】
【０００１】
【発明の属する技術分野】
本発明は、記録媒体に記録ヘッドで記録を実行する記録装置に関し、特に、記録ヘッドがヘッドキャリッジに着脱自在に装着される記録装置に関する。
【０００２】
【従来の技術】
プリンタ、複写機、ファクシミリ、等の機能を有する記録装置、または、コンピュータ、ワードプロセッサ、ワークステーション、これらを含む複合型電子機器、等の出力機器として用いられる記録装置は、画像情報に基づいて用紙やプラスチック薄板等の記録媒体に画像を記録するように構成されている。記録装置は、記録方式により、インクジェット式、ワイヤードット式、サーマル式、レーザービーム式等に分けることができる。
【０００３】
そして、一般的な記録装置では、記録ヘッドは記録装置のヘッドキャリッジに着脱可能に装着されており、この着脱機構はユーザーができるだけ簡単に間違わずに記録ヘッドの着脱ができるような構成になっている。
【０００４】
例えば、記録ヘッドとヘッドキャリッジとに相互に接続されるヘッド／キャリッジコネクタを設け、ヘッドキャリッジに、記録ヘッドを載置するための載置部と、この載置部を覆うように変位可能に設けられたレバー部材と、を設けた記録装置がある。
【０００５】
このような記録装置では、ヘッドキャリッジの載置部に記録ヘッドを載置してからレバー部材を回転させることにより、記録ヘッドのヘッドコネクタとヘッドキャリッジのキャリッジコネクタとが接離する（例えば、特許文献１参照）。
【０００６】
【特許文献１】
特許第３０２９１２６号
【０００７】
【発明が解決しようとする課題】
しかしながら、特許第３０２９１２６号に開示された記録装置では、レバー操作によってキャリッジコネクタが移動して記録ヘッドに結合するので、キャリッジコネクタのみならず、キャリッジコネクタが実装された基板や配線等を移動させるためのスペースがヘッドキャリッジに必要であり、装置が大型化してしまう問題があった。
【０００８】
本発明は上述のような課題に鑑みてなされたものであり、小型で記録ヘッドの着脱が容易な記録装置を提供することを目的とする。
【０００９】
【課題を解決するための手段】
本発明の記録装置は、供給される駆動信号に対応して記録媒体に記録を行う記録ヘッドと、前記記録ヘッドを着脱自在に保持して前記記録媒体に沿って移動させるとともに前記記録ヘッドに前記駆動信号を供給するヘッドキャリッジと、を用いて前記記録媒体に記録を行う記録装置であって、前記記録ヘッドは、前記駆動信号が供給されるヘッドコネクタを下面に有しており、前記ヘッドキャリッジは、前記記録ヘッドが上方から着脱自在に装着される開口部と、上方から結合される前記ヘッドコネクタに前記駆動信号を供給するキャリッジコネクタと、前記開口部を上方から開閉する位置に回動自在に軸支されていて前記記録ヘッドを上方から係脱自在に保持するカバー部材と、前記記録ヘッドが上方から載置されて前記カバー部材の開閉に連動して上下方向に変位するレバー部材と、を有しており、前記カバー部材が開放された状態では載置された前記記録ヘッドの前記ヘッドコネクタが前記キャリッジコネクタから離反する位置に前記レバー部材が配置され、前記カバー部材が閉止された状態では前記カバー部材に前記記録ヘッドが押圧されて前記ヘッドコネクタが前記キャリッジコネクタに結合されるとともに下方に変位した前記レバー部材が前記記録ヘッドから離反した位置に配置される。
【００１０】
なお、本発明で云う各種手段は、その機能を実現するように形成されていれば良く、例えば、所定の機能を発揮する専用のハードウェア、所定の機能がコンピュータプログラムにより付与されたインクジェット記録装置、コンピュータプログラムによりインクジェット記録装置に実現された所定の機能、これらの組み合わせ、等として実現することができる。
【００１１】
また、本発明で云う各種手段は、かならずしも個々に独立した存在である必要はなく、複数の手段が１個の部材として形成されていること、ある手段が他の手段の一部であること、ある手段の一部と他の手段の一部とが重複していること、等も可能である。
【００１２】
【発明の実施の形態】
［実施の形態の構成］
本発明の実施の形態を図面を参照して以下に説明する。図１は本発明に係る記録装置の実施の形態の一例としてのインクジェット記録装置の要部を示す斜視図、図２はヘッドキャリッジ１の外観を示す斜視図、図３は側面図、図４ないし図６は記録ヘッド２０の外観を示す斜視図、図７は側面図、図８および図９は各タンク２５，２６の外観を示す斜視図、図１０は記録ヘッド２０をヘッドキャリッジ１に一時載置した状態を示す斜視図、図１１はカバー部材を閉じて記録ヘッド２０を装着した状態を示す斜視図、図１２は各タンク２５，２６を装着する状態を示す斜視図である。
【００１３】
図１に示すように、本形態のインクジェット記録装置はヘッドキャリッジ１を有しており、このヘッドキャリッジ１に、記録ヘッド２０が着脱自在に搭載される。ヘッドキャリッジ１は、フレーム４０に両端部が固定されたガイドシャフト４１およびガイドレール４２により、記録媒体の搬送方向（図中Ｐ方向）と直交して表面と平行な方向（主走査方向）に移動自在に支持されている。
【００１４】
また、ヘッドキャリッジ１は、キャリッジ駆動モータ４３の出力軸に固定された不図示の駆動プーリと、回転自在に軸支された従動プーリ４４とに掛け回されたキャリッジ駆動ベルト４５に結合されている。このため、キャリッジ駆動モータ４３を駆動するとキャリッジ駆動ベルト４５が転動し、ヘッドキャリッジ１が主走査方向に往復移動する。
【００１５】
記録ヘッド２０は、図６に示すように、駆動信号に基づいてインクを吐出するノズル部２９、３０を有しており、ＹＭＣ（Ｙｅｌｌｏｗ，  Ｍａｇｅｎｔａ，  Ｃｙａｎ）インクを個々に収容しているカラータンク２５と、Ｂｋ（ＢｌａｃＫ）インクを収容しているブラックタンク２６と、が着脱自在に装着される。Ｂｋインク用のノズル部２９と、カラーインク用のノズル部３０は、記録ヘッド２０の底部に設けられており、各インクは図示下方に向かって吐出される。
【００１６】
ノズル部２９、３０への駆動信号は、ヘッドキャリッジ１に設けられたフレキシブルケーブル（不図示）を解して、このインクジェット記録装置の動作を制御する制御基板（不図示）から伝送され、その駆動信号に基づいて吐出ノズル２９、３０よりインクが吐出される。
【００１７】
さらに、本形態のインクジェット記録装置は、記録媒体を副走査方向に搬送するための駆動源として、ＬＦ（Ｌｉｎｅ  Ｆｅｅｄ）駆動モータ４７を有している。このＬＦ駆動モータ４７の駆動軸には駆動ギヤ４８が固定されており、これにアイドラーギヤ４９を介してＬＦギヤ５０が連結されている。このＬＦギヤ５０にはＬＦローラ４６が固定されており、ＬＦローラ４６の下方にピンチローラ（不図示）がある。ＬＦモータ４８を駆動させるとＬＦローラ４６が回転し、ＬＦローラ４６とピンチローラとで記録媒体が挟持されて図中Ｐ方向に搬送される。
【００１８】
図２ないし４に示すように、ヘッドキャリッジ１は、カバー部材２、レバー部材３、キャリッジコネクタであるカードエッジコネクタ５、ワッシャ６、レバー押え部材８、押圧部材９、等を有している。カードエッジコネクタ５は、ヘッドキャリッジ１内に弾性的に支持されており、押圧部材９は、記録ヘッド２０をＸ方向へと位置決めする。
【００１９】
ヘッドキャリッジ１は、上面と下面とが連通した矩形の枠状に形成されており、その開口部に上方から記録ヘッド２０が装着される。また、カバー部材２は、ヘッドキャリッジ１の開口部より小さく記録ヘッド２０より大きい幅（Ｘ寸法）に形成されており、ヘッドキャリッジ１の左側壁（図中左側）、正面（図中手前側）、および右側壁（図中右側）の内側に沿うように形成されている。
【００２０】
さらに、ヘッドキャリッジ１には、ガイドシャフト４６の軸穴１ｈが走査方向の両端に形成されており、その外側には円筒リブ１ｅがそれぞれ形成されている。カバー部材２は、円筒リブ１ｅに嵌合する穴が設けられており、ヘッドキャリッジ１の軸穴１ｈの円筒リブ１ｅに嵌合し、これを回動中心として図中Ａ、Ｂ方向に回動自在に軸支されている。このため、カバー部材２は、ヘッドキャリッジ１の開口部を上方から開閉する位置に回動自在に軸支されており、記録ヘッド２０とともにヘッドキャリッジ１の開口部に収容される。
【００２１】
カバー部材２の回転中心と反対側の端部には、ユーザー操作のためのノブ部材４が圧入固定されており、さらに、カバー部材２を閉止した状態でカバー部材２をヘッドキャリッジ１に固定するための弾性変形可能なロックバネ部２ｃ、２ｄが一体に形成されている。
【００２２】
また、カバー部材２の回転中心近傍には、別部材である押圧部材１０、１１がバーリングかしめ等の締結方法により固定されている。押圧部材１０、１１は、図３に示すように、途中で先端部１０ａ、１１ａが右方向に曲げられている。この押圧部材１０、１１はＹＺ平面における回転方向−θ方向に弾性変形するので、その先端部１０ａ、１１ａで記録ヘッドの斜面２０ｆ、２０ｇ（図４参照）を弾発的に押圧する。
【００２３】
また、押圧部材が弾性限界を超えて塑性変形に至るのを防止するために、曲げ部２ｉ、２ｊが形成されており、所定量以上の押圧力が先端部１０ａ、１１ｂにかかると変形を拘束するようになっている。また、カバー部材２にはカム溝２ｅ、２ｆが設けられている。また、カバー部材２の右側面部には、板状の部材を折り曲げてヘッドキャリッジ１の内側へ張り出した覆い部２Ａが一体に形成されている。
【００２４】
レバー部材３は、カバー部材２の幅（図中Ｘ方向寸法）より小さく、記録ヘッド２０より大きい幅で、カバー部材２と同じく板部材により形成され、カバー部材２の回転中心近傍で、かつカードエッジコネクタ５の近傍に配置されている。レバー部材３の両端には、カードエッジコネクタ５の近傍に載置部３ａ、３ｂが形成されており、この載置部３ａ、３ｂには、記録ヘッド２０が、その重心とヘッドコネクタであるカードエッジ基板２１との間の位置で載置される。
【００２５】
また、レバー部材３は、記録ヘッドの載置部３ａ、３ｂのそれぞれの上部にカム軸３ｃ、３ｄがカム溝２ｅ、２ｆに対応する位置に、それぞれカバー部材２に向かってカシメ締結されるとともに、ワッシャ６がカム軸３ｃ、３ｄに係止され、カバー部材２の図中Ｘおよび−Ｘ方向への変位および脱落を防止している。
【００２６】
また、レバー部材３は、隣接するヘッドキャリッジ１のレバースライド面１ｄと、レバー押え部材８のレバー側の曲げ部８ａにより挟持されており、カバー部材２の回動と連動して図３の実線で示す位置から、破線で示す位置までストロークＳの距離をもって垂直移動するようになっている。
【００２７】
なお、レバー部材３は、その曲げ部３ｅとレバー押え部材８の曲げ部８ａが当接することで、Ｚ方向に抜け止めされており、カバー部材２の−θ方向の回転を規制している。また、レバー押え部材８は、ヘッドキャリッジ１の側面１ｅを係止部８ｄが挟持することで、ヘッドキャリッジ１に固定されている。
【００２８】
カードエッジコネクタ５は、長手方向の両端にコネクタ弾性部材５ａ、５ｂ、５ｃ、５ｄ、５ｅ、５ｆが一体に付設されており、ヘッドキャリッジ１のリブ１ｍ、１ｎで覆われるコネクタ保持部の略中央に、コネクタ弾性部材５ａ、５ｂ、５ｃ、５ｄ、５ｅ、５ｆによりＸＹ方向に移動可能に弾発的に支持されている。ここで、カードエッジコネクタ５は、コネクタ弾性部材５ａ、５ｂの不図示の係止部がコネクタ保持部の１ｍ、１ｎに当接してＺ方向に規制されており、下方のヘッドキャリッジ１の底面１ｐにより−Ｚ方向に規制されている。
【００２９】
また、カードエッジコネクタ５には、カードエッジ基板２１が挿入されて複数の電気接点を接合するための開口部５Ａが形成されており、その上方の周囲は面取りされている。このため、カードエッジコネクタ５は、カードエッジ基板２１の突入時の衝撃を軽減させることができ、容易にカードエッジ基板２１の先端部２１ａを開口部５Ａへと誘導することができる。
【００３０】
また、ヘッドキャリッジ１のカードエッジコネクタ５の対向側には、記録ヘッド２０が載置される一時載置部材７が固定されている。この一時載置部材７は、その位置決め穴７ｃにヘッドキャリッジ１の位置決めボス１ｑが係合しており、その曲げ部７ａがヘッドキャリッジ１を挟持している。一時載置部材７の先端７ｂは、記録ヘッド２０が載置された際にヘッドキャリッジ１を所定の高さに支持することができるように、ＸＹ平面から曲げ起こされ傾斜するように形成されている。
【００３１】
さらに、ヘッドキャリッジ１には、記録ヘッド２０のＸ方向の位置決め面１ｔ、Ｙ方向の位置決め面１ｐ、１ｓ、Ｚ方向の位置決め面１ａ、１ｂ、１ｃ、が形成されている。そして、記録ヘッド２０をＸ方向の位置決め面１ｔに押圧するための押圧部材９が、ヘッドキャリッジ１の穴部１ｕに曲げ部９ｂにより挟持されて固定されている。
【００３２】
記録ヘッド２０は、図４ないし図７に示すように、不図示の電気熱変換体であるチップ、そのチップを取り付けるためにヘッドキャリッジ１の底面に付設されるセラミックプレート３４、等を有している。記録ヘッド２０にはヘッドキャリッジ１の各位置決め面に対応する位置決め面、Ｘ方向の位置決め面２０ａ、Ｙ方向の位置決め面２０ｂ、２０Ｄ、Ｚ方向の位置決め面２０ｃ、２０ｔ、２０ｗが形成されている。
【００３３】
また、ヘッドキャリッジ１のカードエッジコネクタ５の位置に対応する記録ヘッド２０の側面にはカードエッジ取り付け部２０ｕ、２０ｖが形成されており、このカードエッジ取り付け部２０ｕ、２０ｖには、カードエッジ基板２１がその両端においてネジ部材２２によって締結されている。カードエッジ基板２１は、導体パターンが複数形成されるプラグであり、配線部材３１が接続されており、配線部材３１を介してノズル部２９、３０のインクを吐出駆動する複数の発熱抵抗体（不図示）に接続されている。
【００３４】
さらに、記録ヘッド２０をヘッドキャリッジ１に装着して前述のカバー部材２を閉止した状態では、カバー部材２に付設された押圧部材１０、１１の先端１１ａ、１１ｂが記録ヘッド２０に当接する位置で、かつ、カードエッジ基板の取り付け部２０ｕ、２０ｖの上方位置に傾斜面２０ｆ、２０ｇが形成されている。
【００３５】
また、記録ヘッド２０は、カードエッジ基板２１の取り付け部の近傍に当接部２０Ａ、２０Ｂが形成されており、これらの当接部２０Ａ、２０Ｂが、ヘッドキャリッジ１に記録ヘッド２０を装着する際に前述したレバー部材の載置部３ａ、３ｂと当接する。記録ヘッド２０の背面には、一時載置部材７と当接する位置に当接部２０Ｄが形成されている。
【００３６】
図８および図９に示すように、カラータンク２５およびブラックタンク２６は、それぞれ容器を覆って封止し，大気連通口（不図示）が形成された蓋部材２７、２８を有する。また、蓋部材２７、２８には、各タンク２５，２６をヘッドキャリッジ１に回転装着しても、前述の覆い部２Ａと各タンク２５，２６が干渉しないように、切欠き部２５ｅ、２６ｅが形成されている。
【００３７】
さらに、カラータンク２５の底面には、インク供給口２５ｄ、２５ｅ、２６ｆが形成されており、ブラックタンク２６の底面には、インク供給口２６ｄが形成されている。各タンク２５，２６は、記録ヘッド２０に搭載されると、カラーインクの供給管２０ｘ、２０ｙ、２０ｚ、記録ヘッド２０のブラックインクの供給管２０ｉに各々連結される。
【００３８】
なお、記録ヘッド２０のインク供給管２０ｘ、２０ｙ、２０ｚ、２０ｉの周囲には、シール材３２，３３がそれぞれ付設されており、シール材３２，３３は、記録ヘッド２０に各タンク２５，２６が装着されたとき、インク供給口２５とインク供給管２０との連結を密閉してインク漏れを防止するとともに、各タンク２５，２６を図中上方に付勢する。
【００３９】
さらに、各タンク２５，２６の右側面には、抜け止め爪２５ａ、２６ａが形成されており、左側面には、弾性変形可能なラッチレバー２５ｃ、２６ｃと、ラッチ爪２５ｂ、２６ｂとが一体に形成されている。さらに、記録ヘッド２０の右側面には、抜け止め穴２０ｐ、２０ｑが形成されており、左側面には、ラッチ爪係合穴２０ｒ、２０ｓが形成されている。抜け止め爪２５ａ、２６ａと抜け止め穴２０ｐ、２０ｑとは、それぞれ係合する位置に設けられており、ラッチ爪２５ｂ、２６ｂとラッチ爪係合穴２０ｒ、２０ｓも、それぞれ係合する位置に設けられている。
【００４０】
［実施の形態の動作］
上述のような構成において、本発明の実施の形態のインクジェット記録装置に記録ヘッド２０を取り付ける操作を説明する。記録ヘッド２０を取り付けるには、記録ヘッド２０のつまみ部２０Ｆ、２０Ｇを両側より指で挟み、図２ないし図３に示すように、カバー部材２を開いたヘッドキャリッジ１の開口面に上方から挿入する。
【００４１】
このとき、図１０に示すように、レバー部材３の載置部３ａ、３ｂおよび一時載置部材７の先端部７ｂが、記録ヘッド２０の当接部２０Ａ、２０Ｂおよび当接部２０Ｄに当接することで、ヘッドキャリッジ１に記録ヘッド２０が一時載置される。この状態では、記録ヘッド２０のカードエッジ基板２１の先端２１ａと、ヘッドキャリッジ１のカードエッジコネクタ５とは、所定のクリアランスを介して接触しない。
【００４２】
なお、一時載置部材７は、記録ヘッド２０の自重が作用して弾性変形するようになっており、自重が作用する載置状態において、記録ヘッド２０が略水平に保持されるようにバネ定数が設定されている。また、一時載置状態においては、Ｘ方向の位置決め押圧部材９の傾斜部９ａと、記録ヘッド２０の当接面２０ｅとは、クリアランスをもっていて接触しない。
【００４３】
なお、この状態で押圧部材９が記録ヘッド２０をＸ方向に押圧しないように、傾斜部９ａと当接面２０ｅにクリアランスをもたせている理由は、記録ヘッド２０の自重が軽い為に載置部３ａ、３ｂに到達せず、どちらか一方の載置部３ａ、３ｂだけが接して記録ヘッド２０が傾いてしまう等の不具合を防止するためである。
【００４４】
つぎに、記録ヘッド２０をヘッドキャリッジ１に固定するには、カバー部材２のノブ４をつまみ、θ方向に回動させる。このとき、カバー部材２のカム溝２ｅ、２ｆとレバー部材３のカム軸３ｃ、３ｄの係合により、レバー部材３とともに記録ヘッド２０が略垂直に下降する。
【００４５】
このため、最初にＸ方向の押圧部材９の傾斜部９ａが記録ヘッド２０の当接面２０ｅに当接し、記録ヘッド２０の位置決め面２０ａがヘッドキャリッジ１の位置決め面１ｔに当接してＸ方向の位置決めが行われる。そして、これらの当接により、記録ヘッド２０ａは、Ｘ方向に押圧されて位置決めされ、その当接の摩擦力により下降が一時的に停止する。
【００４６】
そこで、さらにカバー部材２を回動させると、レバー部材３の載置部３ａ、３ｂが下降して図３に破線で示す位置に到達し、記録ヘッド２０の当接部２０Ａ、２０Ｂから退避するので、記録ヘッド２０は、ヘッドキャリッジ１に対してＺ方向の位置決めが妨げられることがない。
【００４７】
一方、カバー部材２の回動により、押圧部材１０、１１の先端１０ａ、１１ａもθ方向に回動し、前述の下降を一時的に停止した記録ヘッド２０の傾斜面２０ｆ、２０ｇを押圧する。この押圧力により、カードエッジ基板２１がカードエッジコネクタ５の開口部５Ａに挿入されるので、コネクタ結合は完了する。
【００４８】
このとき、記録ヘッド２０は、−Ｚ方向に傾斜面２０ｆ、２０ｇが押圧されることで−Ｙ方向にも押圧されるので、位置決め面２０ｂ、２０Ｄがヘッドキャリッジ１の位置決め面１ｐ、１ｓに当接し、Ｙ方向の位置決めがコネクタの結合動作とともに行われる。
【００４９】
さらに、カバー部材２のロック部材２ｃ、２ｄがヘッドキャリッジ１のロック受け部１ｆ、１ｇを通過するときに図３のθａ方向に弾性変形し、図３に破線で示す位置でロック受け部１ｆ、１ｇに係止されるとともに、Ｚ方向の押圧部の２ｇ、２ｈが記録ヘッド２０の側面に形成された当接面２０ｎ、２０ｍをＺ方向に押圧し続けるので、記録ヘッド２０がヘッドキャリッジ１に固定される。また、このロック時には、ロック部材２ｃ、２ｄがロック受け部１ｆ、１ｇを通過する際にクリック感が得られるので、良好な装着感を得ることができる。
【００５０】
この時、一時載置部材７は、図２に示すように、上方に傾斜した形状に形成されているので、記録ヘッド２０の当接部２０Ｄに押し付けられ、ほぼ密着するように弾性変形する。さらに、当接部２０Ｄの面が一時載置部材７の板厚よりも深く座ぐられているので、密着した一時載置部材７は記録ヘッド２０の外形内に収容される。
【００５１】
このため、一時載置部材７は、記録ヘッド２０の装着時にヘッドキャリッジ１の外側にはみ出したりすることがなく、ヘッドキャリッジ１をコンパクト化することが可能である。さらに、記録ヘッド２０は、固定時のカバーロック部材２ｃ、２ｄのＺ方向の押圧力を一時載置部材７の変形による反力よりも大きく設定することで、確実にヘッドキャリッジ１に固定することが可能となっている。以上の操作で記録ヘッド２０のヘッドキャリッジ１への取り付け動作が完了する。
【００５２】
つぎに、記録ヘッド２０をヘッドキャリッジ１から取り外す操作について説明する。記録ヘッド２０を取り外すには、前述の記録ヘッド２０の取り付けと逆方向にカバー部材２を回動させれば良い。このようなカバー部材２の回動に伴い、まず、そのロック部材２ｃ、２ｄがヘッドキャリッジ１のロック受け部１ｆ、１ｇを通過して係止が解除され、Ｚ方向の押圧部２ｇ、２ｈが記録ヘッド２０の側面に形成された当接面２０ｎ、２０ｍから離間し、Ｚ方向に押圧を解除する。
【００５３】
さらに、押圧部材１０、１１の先端１０ａ、１１ａが、（−θ）方向に回動して、記録ヘッド２０の傾斜面２０ｆ、２０ｇから離間する。つぎに、レバー部材３の載置部８ａ、８ｂが、記録ヘッド２０の当接部２０Ａ、２０Ｂを押し上げて、記録ヘッド２０を一時載置位置まで上方に移動させる。
【００５４】
この動作によりカードエッジ基板２１とカードエッジコネクタ５の結合が解除される。また、一時載置部材７は弾性力により、一時載置位置に復帰して記録ヘッド２０を下から支持するので、記録ヘッド２０は略水平に支持される。さらに、記録ヘッド２０をヘッドキャリッジ１から指でつまみ持ち上げることで、取り外し操作は完了する。
【００５５】
つぎに、各タンク２５，２６の取り付け、取り外し操作について説明する。例えば、カラータンク２５を取り付けるには、図１２に示すように、その抜け止め爪２５ａと側段差部２５ｅの側面側を覆い部２Ａの下に向け、斜めに傾斜させて挿入する（図中Ｓ矢印方向）。
【００５６】
これにより、カラータンク２５の段差部２５ｅが覆い部２Ａの端面に突き当たるとともに、抜け止め爪２５ａが抜け止め穴２０ｐに嵌合し、カラータンク２５のおおよその位置決めがなされる。ついで、図中Ｈ方向矢印に示すようにカラータンク２５を下向きに押し込む。
【００５７】
するとカラータンク２５は覆い部２Ａと記録ヘッド２０に挟まれた部分を中心に略回転し、ラッチレバー２５ｃが内側に撓んでラッチ爪２５ｂがラッチ爪係合穴２０ｓに係合し、カラータンク２５が記録ヘッド２０に固定される。また、この時、ラッチ爪２５ｂがラッチ爪係合穴２０ｓに係合することによりクリック感が生じるので、装着時の感触も良好である。
【００５８】
カラータンク２５を記録ヘッド２０から取り外す時は、ラッチレバー２５ｃを内側に押し込み、ラッチ爪２５ｂとラッチ爪係合穴２０ｓとの係合を解除して、カラータンク２５を記録ヘッド２０より取り外せば良い。なお、ブラックタンク２６の取り付けおよび取り外し操作についてはカラータンク２５と同様であるので省略する。
【００５９】
［実施の形態の効果］
本実施の形態のインクジェット記録装置では、上述のようにカバー部材２の開閉に連動してレバー部材３が上下するので、カバー部材２が開放された状態のレバー部材３に記録ヘッド２０を載置すると、そのカードエッジ基板２１がカードエッジコネクタ５から離反する位置に記録ヘッド２０は配置される。
【００６０】
このような状態からカバー部材２が閉止されると、レバー部材３は下方に変位して記録ヘッド２０から離反し、この記録ヘッド２０がカバー部材２に押圧されることでカードエッジ基板２１がカードエッジコネクタ５に結合されるので、記録ヘッド２０をヘッドキャリッジ２に簡単に装着することができる。
【００６１】
しかも、カバー部材２を閉止位置から開放させると、レバー部材３が上昇することで記録ヘッド２０のカードエッジ基板２１がヘッドキャリッジ２のカードエッジコネクタ５から離反するので、記録ヘッド２０をヘッドキャリッジ２から簡単に取り外すこともできる。
【００６２】
そして、上述のようにカードエッジコネクタ５がヘッドキャリッジ２において移動する必要がないので、カードエッジコネクタ５の移動スペースや移動機構がヘッドキャリッジ２に必要なく、ヘッドキャリッジ２とともにインクジェット記録装置を小型軽量化することが可能である。
【００６３】
さらに、本形態のインクジェット記録装置では、ヘッドキャリッジ２にカードエッジコネクタ５が弾発的に変位自在に支持されているので、上述のように記録ヘッド２０のカードエッジ基板２１が結合されるときの衝撃を緩和することができ、所定位置に配置されるカードエッジ基板２１と良好に結合することができる。
【００６４】
また、本形態のインクジェット記録装置では、上述のようにカバー部材２は回動されるが、記録ヘッド２０はレバー部材３とともに上下方向に直線状に変位することで、ヘッドキャリッジ２の開口部に上方から装着される。このため、記録ヘッド２０の全部の外側面をヘッドキャリッジ２の全部の内側面で保持することが可能であり、記録ヘッド２０を良好な精度かつ剛性で保持して記録品質を向上させることができる。
【００６５】
しかも、本形態のインクジェット記録装置では、記録ヘッド２０が、その重心とカードエッジ基板２１との間の位置でレバー部材３に載置されるので、レバー部材３に記録ヘッド２０を載置したときに安定させることができる。
【００６６】
［実施の形態の変形例］
本発明は本実施の形態に限定されるものではなく、その要旨を逸脱しない範囲で各種の変形を許容する。例えば、本実施の形態では記録ヘッド２０とヘッドキャリッジ１との駆動信号を伝達するコネクタとして、カードエッジ基板２１およびカードエッジコネクタ５を例示したが、ゴムパッド等の圧接方式のコネクタを用いた場合にも同様に、容易な記録ヘッド２０の着脱と、記録ヘッド２０のヘッドキャリッジ１への高精度の位置決めを実現することができる。
【００６７】
【発明の効果】
本発明の記録装置では、上述のように記録ヘッドが載置されるレバー部材がカバー部材の開閉に連動して上下することにより、記録ヘッドをヘッドキャリッジに簡単に着脱することができ、キャリッジコネクタの移動スペースや移動機構がヘッドキャリッジに必要ないので、ヘッドキャリッジとともに記録装置を小型軽量化することが可能である。
【図面の簡単な説明】
【図１】本発明に係る記録装置の実施の形態の一例としてのインクジェット記録装置の要部を示す斜視図である。
【図２】ヘッドキャリッジの外観を示す斜視図である。
【図３】ヘッドキャリッジの外観を示す側面図である。
【図４】記録ヘッドの外観を示す斜視図である。
【図５】記録ヘッドの外観を示す斜視図である。
【図６】記録ヘッドの外観を示す斜視図である。
【図７】記録ヘッドの外観を示す側面図である。
【図８】カラータンクおよびブラックタンクの外観を示す斜視図である。
【図９】カラータンクおよびブラックタンクの外観を示す斜視図である。
【図１０】記録ヘッドをヘッドキャリッジに一時載置した状態を示す斜視図である。
【図１１】カバー部材を閉じて記録ヘッドを装着した状態を示す斜視図である。
【図１２】記録ヘッドにカラータンクおよびブラックタンクを装着する状態を示す斜視図である。
【符号の説明】
１    ヘッドキャリッジ
２    カバー部材
３    レバー部材
５    キャリッジコネクタであるカードエッジコネクタ
２０    記録ヘッド
２１    ヘッドコネクタであるカードエッジ基板
【図１】
2004230799.tif 000003
【図２】
2004230799.tif 000004
【図３】
2004230799.tif 000005
【図４】
2004230799.tif 000006
【図５】
2004230799.tif 000007
【図６】
2004230799.tif 000008
【図７】
2004230799.tif 000009
【図８】
2004230799.tif 000010
【図９】
2004230799.tif 000011
【図１０】
2004230799.tif 000012
【図１１】
2004230799.tif 000013
【図１２】
2004230799.tif 000014